【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
患者の体内のターゲットとなる組織領域内への導入のための大きさとした受動タグであって：
タグに衝突するエネルギーパルスを電気エネルギーに変換するためのエネルギー変換器と；
エネルギーパルスがスイッチを開閉させるように、エネルギー変換器の結合したスイッチと；および、
アンテナを提供するために、スイッチに結合された１つ以上の細長いコア部材であって、スイッチが、アンテナで反射された信号を信号のソースに戻すよう変調するために開閉動作するよう構成された、コア部材と；
を備えることを特徴とする受動タグ。
【請求項２】
患者の体内のターゲットとなる組織領域内への導入のための大きさとした受動タグであって：
タグに衝突するエネルギーパルスを電気エネルギーに変換するためのエネルギー変換器と；
エネルギーパルスがスイッチを開閉させるように、エネルギー変換器の結合したスイッチと；および、
アンテナを提供するために、スイッチに結合された１つ以上の細長いコア部材であって、スイッチが、アンテナで反射された信号を信号のソースに戻すよう変調するために開閉動作するよう構成された、コア部材と；を備え、
前記エネルギー変換器が、スイッチを開閉するための電圧を発生するために、光源から受け取った光パルスを変換するよう構成された１つ以上の感光性ダイオードを備えることを特徴とする受動タグ。
【請求項３】
スイッチが電界効果トランジスター（ＦＥＴ）またはショットキーダイオードを備えることを特徴とする請求項１または２に記載の能動タグ。
【請求項４】
タグが、アンテナを提供するために、ＦＥＴまたはショットキーダイオードのターミナルと結合した１対の細長い部材を備えることを特徴とする請求項３に記載の受動タグ。
【請求項５】
エネルギー変換器が、スイッチを開閉するための電圧を発生するために、光源から受け取った光パルスを変換するよう構成された１つ以上の感光性ダイオードを備えることを特徴とする請求項１に記載の受動タグ。
【請求項６】
患者の体内のターゲットとなる組織領域内への導入のための大きさとした受動タグであって：
電界効果トランジスター（ＦＥＴ）と；
ＦＥＴを開閉するための電圧を発生するために、光源から受け取った光パルスを変換するように、ＦＥＴのソースおよびゲートを横断して直接に結合された１つ以上の感光性ダイオードと；および、
アンテナを提供するために、ＦＥＴのドレインおよびソースに結合された１対の細長いコア部材であって、ＦＥＴが、アンテナで反射された信号を信号のソースに戻すよう変調するために開閉動作するよう構成された、コア部材と；
を備えることを特徴とする受動タグ。
【請求項７】
１つ以上の感光性ダイオードが、互いに直角に配置された複数のダイオードを備えることを特徴とする請求項２、５または６に記載の受動タグ。
【請求項８】
コア部材に結合された複数のビードであって、ビードが、タグの同定を促進するために電磁信号の反射を高める複数の表面およびエッジを備えている、複数のビードをさらに備えることを特徴とする請求項１−７のいずれか一項に記載の受動タグ。
【請求項９】
スイッチが電界効果トランジスター（ＦＥＴ）を備えており、細長いコア部材が、アンテナを提供するために、ＦＥＴのターミナルに結合した１対のワイヤーを備えることを特徴とする請求項１または２に記載の受動タグ。
【請求項１０】
ワイヤーが、患者の体内への導入を促進するために、曲線構造に偏向されるとともに、実質的に直線構造に弾性的に偏向可能であることを特徴とする請求項９に記載の受動タグ。
【請求項１１】
患者の体内のターゲットとなる組織領域の場所を見つけ出すためのシステムであって：
電磁信号を患者の体内に送信するとともに患者の体内からの反射信号を受信するための１つ以上のアンテナを備えるプローブであって、プローブがさらにエネルギーパルスを患者の体内に供給するためのエネルギー源を備えるプローブと；および、
患者の体内に植え込むための大きさとした受動タグであって、タグが、エネルギー源からのエネルギーパルスを電気エネルギーに変換するよう構成されたエネルギー変換器と、エネルギーパルスが、タグで反射したプローブからの電磁信号を変調するためにスイッチの開閉を行うように、エネルギー変換器に結合されたスイッチと、を備える受動タグと；
を備えることを特徴とするシステム。
【請求項１２】
スイッチが電界効果トランジスター（ＦＥＴ）またはショットキーダイオードを備えることを特徴とする請求項１１に記載のシステム。
【請求項１３】
タグが、アンテナを提供するために、ＦＥＴまたはショットキーダイオードのターミナルと結合した１対の細長い部材を備えることを特徴とする請求項１１に記載のシステム。
【請求項１４】
タグが細長い部材に結合した複数のビードを備え、ビードが、タグの同定を促進するために、電磁信号の反射を高めるための複数の表面およびエッジを備えることを特徴とする請求項１３に記載のシステム。
【請求項１５】
エネルギー源が光源を備え、エネルギー変換器が、スイッチを開閉するための電圧を発生するために、光源からの光を変換するよう構成された１つ以上の感光性ダイオードを備えることを特徴とする請求項１１に記載のシステム。
【請求項１６】
１つ以上の感光性ダイオードが、互いに直角に配置された複数のダイオードを備えることを特徴とする請求項１５に記載のシステム。
【請求項１７】
エネルギー源が、電磁エネルギー、高周波エネルギー、および、振動エネルギーの１つのソースを備え、エネルギー変換器が、スイッチを開閉するための電圧を発生するためにエネルギーを変換するよう構成されたコイルまたは他の素子を備えることを特徴とする請求項１１に記載のシステム。
【請求項１８】
プローブが：
組織に接触するための先端を含む筐体と；
先端が組織と接触して配置されたとき、組織に接触するための第１の表面を備える先端に装着されたセラミックディスクと；
送信信号を体内に送信するための送信アンテナおよびターゲットから反射される受信信号を受信するための受信アンテナであって、送信および受信アンテナが、第１の表面と反対側のセラミックディスクの第２の表面上にマルタクロス型として設けられたアンテナ素子を備える送信および受信アンテナとを備える１つ以上のアンテナと；および、
送信および受信アンテナをシールドするための、先端上のファラデーシールドと；
を備えることを特徴とする請求項１１−１７のいずれか１項に記載のシステム。
【請求項１９】
アンテナ素子が、互いに９０°だけオフセットした２対のアンテナ素子を備え、セラミックディスクが、アンテナ素子を実質的に互いに分離するために、近接するアンテナ素子間にスロットを備えることが特徴とする請求項１８に記載のシステム。
【請求項２０】
第１の表面に接触した組織から逃げるエネルギーのロスを最小にするよう構成された第２の表面に近接して空気で満たされた領域をさらに備えることを特徴とする請求項１８に記載のシステム。
【請求項２１】
患者の体内の位置を同定するためのシステムであって：
患者の体内に植え込むための大きさとしたマーカーと；
患者の体の近傍に配置するために構成された先端と、送信信号を体内に送信するための先端のボータイ型送信アンテナと、マーカーから反射された受信信号を受信するための先端のボータイ型アンテナと、からなるプローブであって、送信および受信アンテナが、マルタクロス型として構成されたボータイ型アンテナ素子を備え、アンテナ素子が患者の体の組織とインピーダンス整合するための素子に結合している、プローブと；
少なくとも部分的に送信および受信信号に基づき、プローブの先端からマーカーまでの距離を決定するための、送信および受信アンテナに結合した少なくとも１つのプロセッサーと；および、
プローブの先端からマーカーまでの距離を表す情報を示すためのディスプレーと；
を備えることを特徴とするシステム。
【請求項２２】
送信アンテナに送られた振動信号を発生するために、送信アンテナに結合された信号発生器であって、振動信号をパルス信号に変換する信号発生器をさらに備えることを特徴とする請求項２１に記載のシステム。
【請求項２３】
組織をインピーダンス整合するための素子が、セラミックディスクを備え、アンテナ素子がセラミックディスクの上側表面上に材料を備えることを特徴とする請求項１８または２１に記載のシステム。
【請求項２４】
セラミックディスクが、アンテナ素子を実質的に互いに分離するために、近接するアンテナ素子間にスロットを備えることを特徴とする請求項２３に記載のシステム。
【請求項２５】
送信および受信アンテナをシールドするために、先端を囲むシールディングをさらに備えることを特徴とする請求項２１に記載のシステム。
【請求項２６】
シールディングが、内部絶縁層と内部絶縁層を囲む外部ファラデーシールドとを備えることを特徴とする請求項２５に記載のシステム。
【請求項２７】
プローブがマーカーに対し傾いた角度を測定するために、プローブ内に加速度計をさらに備え、少なくとも１つのプロセッサーが、時間の差およびプローブの傾斜角度の差を使用して、プローブの先端に対するマーカーの位置を決定するようさらに構成されていることを特徴とする請求項１１−２６のいずれか一項に記載のシステム。
【請求項２８】
体内のマーカーの場所を見つけ出すためのシステムであって、システムが：
体内に送信信号を送信するための送信アンテナであって、送信アンテナがプローブの先端に収容されている送信アンテナと；
マーカーから反射された受信信号を受信するための受信アンテナであって、受信アンテナがプローブの先端に収容されている受信アンテナと；
送信信号が送信アンテナにより送信された時間から受信信号が受信アンテナにより受信された時間までの時間の差を計算するとともに、少なくとも部分的に時間の差に基づき、プローブの先端からマーカーまでの距離を決定する、少なくとも１つのプロセッサーと；および、
プローブの先端からマーカーまでの距離を表す情報を示すためのディスプレーと；
を備えることを特徴とするシステム。
【請求項２９】
体内のマーカーの場所を見つけ出すためのプローブ装置であって、装置が：
体内に送信信号を送信するための送信アンテナであって、送信アンテナがプローブの先端に収容されている送信アンテナと；
マーカーから反射された受信信号を受信するための受信アンテナであって、受信アンテナがプローブの先端に収容されている受信アンテナと；および、
送信信号が送信アンテナにより送信された時間から受信信号が受信アンテナにより受信された時間までの時間の差を計算するとともに、少なくとも部分的に時間の差に基づき、プローブの先端からマーカーまでの距離を決定する、少なくとも１つのプロセッサーと；
を備えることを特徴とするプローブ装置。
【請求項３０】
患者の体内のターゲットの場所を見つけ出すためのプローブであって：
組織に接触するための先端を含む筐体と；
先端が組織と接触して配置されたとき、組織に接触するための第１の表面を備える先端に装着されたセラミックディスクと；
送信信号を体内に送信するための送信アンテナおよびターゲットから反射される受信信号を受信するための受信アンテナであって、送信および受信アンテナが、第１の表面と反対側のセラミックディスクの第２の表面上にマルタクロス型として設けられたアンテナ素子を備える送信および受信アンテナと；および、
送信および受信アンテナをシールドするための、先端上のファラデーシールドと；
を備えることを特徴とするプローブ。